(57)【要約】      （修正有）【課題】吹出口の可動ディフューザが回動し、室内へ送出する温風が下向きになった場合でも、左右風向板による風向調節が十分に行えるようにした空気調和機の室内機を提供する。【解決手段】筐体下部前方の吹出口６に室内への風向を上下に調節する上下風向板１１を設けるとともに、同吹出口６の下部先端に上下方向に回動する可動ディフューザ１３を設け、同可動ディフューザ１３の上部に室内への風向を左右に調節する左右風向板１４Ａを設け、暖房運転時に上下風向板１１と可動ディフューザ１３とをほぼ垂直方向に回動させ、温風を下向きに送出する室内機において、前記左右風向板１４Ａを可動ディフューザ１３の上部に設ける主風向板１５と、運転停止中は風向板本体１５内に収まり、運転モードに対応して可動ディフューザ１３が回動すると主風向板１５から前方に延出するようにした補助風向板１６とで構成する。【選択図】  図４
2004232943.tif 000002
【特許請求の範囲】
【請求項１】
筐体上部の吸込口と、同筐体下部の吹出口とを結ぶ空気通路に、室内熱交換器と、送風ファンとを設け、前記吹出口に室内への風向を上下に調節する上下風向板を設けるとともに、同吹出口の下部先端に上下方向に回動する可動ディフューザを設け、同可動ディフューザの上部に、連結棒によって連結され、室内への風向を左右に調節する複数の左右風向板を設けてなり、暖房運転時に前記上下風向板と前記可動ディフューザとをほぼ垂直方向に回動させ、温風を下向きに送出するようにしてなるものにおいて、前記左右風向板を前記可動ディフューザの上部に設ける主風向板と、運転停止中は前記主風向板内に収まり、運転モードに対応して前記可動ディフューザが回動すると前記主風向板から前方または上方に延出するようにした補助風向板とにより構成してなることを特徴とする空気調和機の室内機。
【請求項２】
前記左右風向板が、左右両側面の中央部に軸孔を有し、下部前方に前記連結棒によって連結される連結部を有し、下端中央部に前記可動ディフューザへの取付脚を有し、上端面を開口した袋状の主風向板と、下端中央部の両側面に前記軸孔と係合する回転軸または半球状の凸部を有し、下部を前記主風向板に収容するようにしてなる台形状の補助風向板と、同補助風向板の前方下端と前記主風向板の内底部間に設けたスプリングとにより構成されてなることを特徴とする請求項１記載の空気調和機の室内機。
【請求項３】
前記左右風向板が、前記吹出口の天井を構成するフロントスタビライザに回動自在に吊るされ、左右両側面の下部中央に回転軸または半球状の凸部を有する補助風向板と、上端面および上部前後を開口し前記補助風向板の収容を可能にした収容部と、前記回転軸または前記凸部をスライド可能に収容するガイド孔と、前記連結棒によって連結される連結部とを有し、前記可動ディフューザの上部に回動自在に設けられた主風向板とにより構成されてなることを特徴とする請求項１記載の空気調和機の室内機。
【請求項４】
前記左右風向板が、下部前方に前記連結棒によって連結される連結部を有し、下端中央部に前記可動ディフューザへの取付脚を有し、上端面を開口するとともに左右両側面の前後に縦方向のガイド孔を設けた袋状の主風向板と、前記ガイド孔に移動可能に係合する凸部を有し、前記風向板本体に収容される台形状の補助風向板と、同補助風向板の下端と前記主風向板の内底部間に設けたスプリングとにより構成されてなることを特徴とする請求項１記載の空気調和機の室内機。
【発明の詳細な説明】
【０００１】
【発明の属する技術分野】
本発明は空気調和機の室内機に係わり、詳しくは、可動ディフューザを備えた吹出口の構造に関する。
【０００２】
【従来の技術】
空気調和機の室内機においては、その筐体上部の吸込口と、同筐体下部の吹出口とを結ぶ空気通路に、室内熱交換器と、送風ファンとを設け、前記吹出口に室内への風向を上下に調節する上下風向板を設けるとともに、前記吹出口の下部先端に上下方向に回動する可動ディフューザを設け、同可動ディフューザの上部に、連結棒によって連結され、室内への風向を左右に調節する複数の左右風向板を設けてなり、暖房運転時に前記上下風向板をほぼ垂直方向に回動させて吹出口の前方を塞ぐとともに、前記可動ディフューザをほぼ垂直方向に回動させて、温風を下向きに送出するようにしてなるもの（例えば特許文献１参照）がある。
【０００３】
ところで、図７を見れば分かるように、可動ディフューザ１３に設けられる左右風向板１４の高さ寸法は可動ディフューザ１３と吹出口６の天井を構成するフロントスタビライザ２３間の寸法によって決まってしまうため、可動ディフューザ１３の上部が前向きになるまで回動し温風の吹き出しが下向きになる暖房運転時においては左右風向板１４とその前方に位置する上下風向板１１との間が開き過ぎて左右方向の風向調節が十分に行えないという問題があった。
【０００４】
【特許文献１】
特開平８ー２８９４８号公報（第２ー３頁、第２図）
【０００５】
【発明が解決しようとする課題】
したがって、本発明においては、可動ディフューザが回動し、室内への風向が下向きになった場合においても、左右方向の風向調節が十分に行えるようにした空気調和機の室内機を提供することを目的としている。
【０００６】
【課題を解決するための手段】
本発明は、上記の課題を解決するためになされたものであり、筐体上部の吸込口と、同筐体下部の吹出口とを結ぶ空気通路に、室内熱交換器と、送風ファンとを設け、前記吹出口に室内への風向を上下に調節する上下風向板を設けるとともに、同吹出口の下部先端に上下方向に回動する可動ディフューザを設け、同可動ディフューザの上部に、連結棒によって連結され、室内への風向を左右に調節する複数の左右風向板を設けてなり、暖房運転時に前記上下風向板と前記可動ディフューザとをほぼ垂直方向に回動させ、温風を下向きに送出するようにしてなるものにおいて、前記左右風向板を前記可動ディフューザの上部に設ける主風向板と、運転停止中は前記主風向板内に収まり、運転モードに対応して前記可動ディフューザが回動すると前記主風向板から前方または上方に延出するようにした補助風向板とにより構成する。
【０００７】
また、前記左右風向板が、左右両側面の中央部に軸孔を有し、下部前方に前記連結棒によって連結される連結部を有し、下端中央部に前記可動ディフューザへの取付脚を有し、上端面を開口した袋状の主風向板と、下端中央部の両側面に前記軸孔と係合する回転軸または半球状の凸部を有し、下部を前記主風向板に収容するようにしてなる台形状の補助風向板と、同補助風向板の前方下端と前記主風向板の内底部間に設けたスプリングとからなる構成とする。
【０００８】
また、前記左右風向板が、前記吹出口の天井を構成するフロントスタビライザに回動自在に吊るされ、左右両側面の下部中央に回転軸または半球状の凸部を有する補助風向板と、上端面および上部前後を開口し前記補助風向板の収容を可能にした収容部と、前記回転軸または前記凸部をスライド可能に収容するガイド孔と、前記連結棒によって連結される連結部とを有し、前記可動ディフューザの上部に回動自在に設けられた主風向板とからなる構成とする。
【０００９】
また、前記左右風向板が、下部前方に前記連結棒によって連結される連結部を有し、下端中央部に前記可動ディフューザへの取付脚を有し、上端面を開口するとともに左右両側面の前後に縦方向のガイド孔を設けた袋状の主風向板と、前記ガイド孔に移動可能に係合する凸部を有し、前記風向板本体に収容される台形状の補助風向板と、同補助風向板の下端と前記主風向板の内底部間に設けたスプリングとからなる構成とする。
【００１０】
【発明の実施の形態】
以下、本発明の実施の形態を図１〜図６に基づいて説明する。
図１は空気調和機の室内機の外観を示す斜視図、図２は同室内機の内部構成を示す側断面図、図３および図４は本発明の第１の実施の形態を、図５は第２の実施の形態を、図６は第３の実施の形態をそれぞれ示す要部拡大図である。
【００１１】
図において、１は本体２と、この本体２に着脱可能に被せられた前面カバー３と、この前面カバー３の前方に開閉自在に取付けられた正面パネル４とからなる筐体である。この筐体１の上部および前方には室内空気の吸込口５が、下部前方には吹出口６が形成されている。筐体１の中央内部を側面から見ると図２のようになっており、吸込口５と吹出口６間の空気通路７には着脱自在なエアーフィルタ８と、複数に分割して前後に屈曲させた室内熱交換器９と、この室内熱交換器９により熱交換された空気を吹出口６へ送出するための送風ファン１０とが配置され、吹出口６には室内への風向を上下に調節する上下風向板１１が設けられ、また、吹出口６の下部には、駆動部１２を有し、吹出口６の下部先端に上下方向に回動する可動ディフューザ１３が設けられ、この可動ディフューザ１３には室内への送風を左右に調節する左右風向板１４が取付けられている。
【００１２】
ところで、本発明ではこの左右風向板１４が、可動ディフューザ１３上に設けられる主風向板１５と、運転停止中は前記主風向板１５内に収まり、冷房運転、暖房運転等の運転モードに対応して可動ディフューザ１３が回動すると主風向板１５から前方（または上方）に延出する補助風向板１６とで構成され、上下風向板１１との距離を縮めるようになっている。
【００１３】
図３および図４は本発明の第１の実施の形態を示したもので、図３の（Ａ）、（Ｂ）は何れも運転停止時、図４の（Ａ）は冷房運転時、（Ｂ）は暖房運転時である。
ここに示す左右風向板１４Ａは、左右両側面の中央部に軸孔１７を有し、下部前方に連結棒１８によって連結される連結部１９を有し、下端中央部に可動ディフューザ１３への回動可能な取付脚２０を有し、上端面を開口した袋状の主風向板１５と、下端中央部の両側面に軸孔１７と係合する回転軸２１または半球状の凸部を有し、下部を主風向板１５に収容するようにしてなる台形状の補助風向板１６と、同補助風向板１６の前方下端と主風向板１５の内底部間に設けた例えば螺旋形状のスプリング２２とで構成されており、斜め前方から見ると図３の（Ｂ）に示すような形態になっている。
【００１４】
図５は本発明の第２の実施の形態を示したもので、（Ａ）は運転停止時、（Ｂ）は冷房運転時、（Ｃ）は暖房運転時である。
ここに示す左右風向板１４Ｂは、吹出口６の天井を構成するフロントスタビライザ２３からボールジョイント２４を介して回動自在に吊るされ、左右両側面の下部中央に回転軸２１または半球状の凸部を有する補助風向板１６と、上端面および上部前後を開口し補助風向板１６の収容を可能にした収容部２５と、回転軸２１または前記凸部をスライド可能に収容するガイド孔２６と、前記連結棒１８によって連結される連結部１９とを有し、可動ディフューザ１３の上部にボールジョイント２４を介して回動自在に設けられた主風向板１５とで構成されている。
【００１５】
図６は本発明の第３の実施の形態を示したもので、（Ａ）は運転停止時、（Ｂ）は冷房運転時、（Ｃ）は暖房運転時である。
ここに示す左右風向板１４Ｃは、下部前方に前記連結棒１８によって連結される連結部１９を有し、下端中央部に可動ディフューザ１３への回動可能な取付脚２０を有し、上端面を開口するとともに左右両側面の前後に縦方向のガイド孔２６を設けた袋状の主風向板１５と、ガイド孔２６に移動可能に係合する凸部２１を有し、主風向板１５に収容される台形状の補助風向板１６と、同補助風向板１６の下端と主風向板１５の内底部間に設けられる螺旋形状のスプリング（図示省略）とで構成されている。
【００１６】
以上、三通りの左右風向板１４Ａ、１４Ｂ、１４Ｃについて説明したが、上下風向板１１と、可動ディフューザ１３および左右風向板（１４Ａ、１４Ｂ、１４Ｃ）は運転モードに対応してその位置が変わり、例えば冷房運転では上下風向板１１がほぼ水平方向になるように回動され、一方、可動ディフューザ１３および左右風向板（１４Ａ、１４Ｂ、１４Ｃ）は図４の（Ａ）、図５の（Ｂ）、図６の（Ｂ）に示す位置に保持される。このような状態であれば吹出口６からの冷風を下降させることなく遠くまで送出することができる。
【００１７】
また、暖房運転では上下風向板１１を図４の（Ｂ）、図５の（Ｃ）、図６の（Ｃ）に図示されているようなほぼ垂直方向に回動させて吹出口６の前方を塞ぐ一方、図４の（Ｂ）および図６の（Ｃ）に示すような構成のものでは主風向板１５から押し出された補助風向板１６によって上下風向板１１との間隔が狭められるので左右方向の風向調節がより良く行え、また、図５の（Ｃ）に示すような構成のものでは室内へ送出される温風のほぼ全体を左右方向に調節可能となる。
【００１８】
【発明の効果】
以上、説明したような左右風向板を備えた室内機であれば、冷房運転では従来通りの送風が行え、暖房運転では左右方向への風向調節がより良く行えるようになり、便利で、快適性が向上する。
【図面の簡単な説明】
【図１】本発明に係わる室内機の外観斜視図である。
【図２】本発明に係わる室内機の内部構成を示す側断面図である。
【図３】本発明の第１の実施の形態を示す吹出口内部側面図で、（Ａ）は運転停止時、（Ｂ）は左右風向板の斜視図である。
【図４】本発明の第１の実施の形態を示す吹出口内部側面図で、（Ａ）は冷房運転時、（Ｂ）は暖房運転時である。
【図５】本発明の第２の実施の形態を示す吹出口内部側面図で、（Ａ）は運転停止時、（Ｂ）は冷房運転時、（Ｃ）は暖房運転時である。
【図６】本発明の第３の実施の形態を示す吹出口内部側面図で、（Ａ）は運転停止時、（Ｂ）は冷房運転時、（Ｃ）は暖房運転時である。
【図７】従来の吹出口内部を示す側面図で、（Ａ）は運転停止時、（Ｂ）は暖房運転時である。
【符号の説明】
６  吹出口
１１  上下風向板
１２  駆動部
１３  可動ディフューザ
１４、１４Ａ、１４Ｂ、１４Ｃ  左右風向板
１５  主風向板
１６  補助風向板
１７  軸孔
１８  連結棒
１９  連結部
２０  取付脚
２１  回転軸（半球状の凸部）
２２  スプリング
２３  フロントスタビライザ
２４  ボールジョイント
２５  収容部
２６  ガイド孔
【図１】
2004232943.tif 000003
【図２】
2004232943.tif 000004
【図３】
2004232943.tif 000005
【図４】
2004232943.tif 000006
【図５】
2004232943.tif 000007
【図６】
2004232943.tif 000008
【図７】
2004232943.tif 000009